(57)【要約】【課題】脱落や外れが生じ難い環状シールの提供及び当該環状シールを備えた支管接続具の提供。【解決手段】環状シールは、その外周側縁を、本管の側面に支管接続具が当てがわれる方向と平行する面に形成したことを特徴とする。又、環状シールの外周側縁及び内周側縁を、本管の側面に支管接続具が当てがわれる方向と平行する面に形成したことを特徴とする。支管接続具は、前記の環状シールの溝嵌合部と相補形状の環状溝が形成されたことを特徴とする。又、支管接続具は、前記の環状シールが装着されたことを特徴とする。【選択図】        図１
2004251432.tif 000002
【特許請求の範囲】
【請求項１】
環状シールの外周側縁が、本管の側面に支管接続具が当てがわれる方向と平行する面に形成されたことを特徴とする支管接続用環状シール。
【請求項２】
環状シールの外周側縁及び内周側縁が、本管の側面に支管接続具が当てがわれる方向と平行する面に形成されたことを特徴とする支管接続具用環状シール。
【請求項３】
環状シールは、その断面において、本管の側面に当接される方向に半円弧状に突出し、当該半円弧状の両端裏面側が当該環状シールの嵌合される支管接続具の環状溝の両縁に密着する面に形成されたことを特徴とする請求項１又は請求項２に記載の支管接続具用環状シール。
【請求項４】
請求項１乃至請求項３の何れかの支管接続具用環状シールが嵌合される当該環状シールの溝嵌合部と相補形状の環状溝が形成されたことを特徴とする支管接続具。
【請求項５】
請求項１乃至請求項３の何れかの支管接続具用環状シールが装着されたことを特徴とする支管接続具。
【発明の詳細な説明】
【０００１】
【発明の属する技術分野】
本発明は、本管の側面側に支管を接続する際に用いる支管接続具用の環状シールと当該環状シールが装着される或は装着された支管接続具に関する。
【０００２】
【従来の技術】
支持接続具は、例えば、埋設されている或は埋設するように敷設されている水道管路の本管（ダクタイル管）の側面側から支管（ダクタイル管）を分岐させる際に用いる接続具であって、本管の側面に穿たれた通孔と連通する被接続口を備えており、本管の側面側に装置されるものである。
【０００３】
この支管接続具は、前記被接続口を備え前記通孔側の本管側面に当接される本体と前記通孔の反対側の本管側面に当接される分体とから成り、前記本体と分体とは本管の両側面側から当該本管に当てがわれた状態にて締結される。
従って、本管側面に当てがわれる本体と分体との面即ち当接面は、当該本管側面と相補形状即ち半筒面形状となっている。
【０００４】
本管に穿たれた通孔と本体の被接続口との連通部には、水密性を確保させるため環状のシール部材即ち環状シールが本体の当接面側に着脱自在に嵌合するように装着されている。
従来の環状シールは、断面が円形で、支管接続具の本体の当接面に形成された断面が略半円形状の環状溝に、当該ゴム輪の半身が嵌合された状態にて装着されていた。
従って、この環状シールは、平面上において単純なゴム輪のような環状ではなく、半筒形状面において鞍のように変形した環状に成形されている。以下、このような変形環状を鞍形環状ともいう。
【０００５】
【発明が解決しようとする課題】
しかし、従来では、上記のように、支管接続具の本体の断面略半円形の環状溝に、断面円形の環状シールが、断面においてその半身が埋まるように嵌合されただけの構造であったため、本体の通孔と本体の接続口を一致させるべく、本体を本管の側面に当てがった状態で摺動させると、環状シールの環状溝から露出した半面が本管の側面と擦れて捩れ易く、この擦れや捩れによって環状シールが本体の環状溝から脱落したり、一部が外れたりしてしまうという問題があった。
環状シールが脱落したり、一部が外れたりすると、改めて作業を最初からやり直さなくてはならず、作業効率を妨げる原因の一つとなっていた。
【０００６】
本発明は、脱落や外れが生じ難い環状シールの提供及び当該環状シールを備えた支管接続具の提供を目的とする。
【０００７】
【課題を解決するための手段】
請求項１の支管接続用環状シールの発明は、環状シールの外周側縁が、本管の側面に支管接続具が当てがわれる方向と平行する面に形成されたことを特徴とする。
【０００８】
請求項２の支管接続具用環状シールの発明は、環状シールの外周側縁及び内周側縁が、本管の側面に支管接続具が当てがわれる方向と平行する面に形成されたことを特徴とする。
【０００９】
請求項３の支管接続具用環状シールの発明は、請求項１又は請求項２に記載の支管接続具用環状シールにおいて、環状シールは、その断面において、本管の側面に当接される方向に半円弧状に突出し、当該半円弧状の両端裏面側が当該環状シールの嵌合される支管接続具の環状溝の両縁に密着する面に形成されたことを特徴とする。
【００１０】
請求項４の支管接続具の発明は、請求項１乃至請求項３の何れかの支管接続具用環状シールが嵌合される当該環状シールの溝嵌合部と相補形状の環状溝が形成されたことを特徴とする。
【００１１】
請求項５の支管接続具の発明は、請求項１乃至請求項３の何れかの支管接続具用環状シールが装着されたことを特徴とする。
【００１２】
【発明の実施の形態】
実施の形態１．
以下、本発明を実施の形態１を示す図面に基づいて説明する。
図１は使用状態を示す断面図、図２は支管接続具の分解斜視図、図３は環状シールの斜視図、図４は環状シールを水平に置いた状態の正面図、図５は図４の右側面図、図６は図４の平面図、図７は図６のＡ−Ａ線断面図、図８は図６のＢ−Ｂ線断面図である。
【００１３】
図１及び図２において、支管接続具２０は、従来と同様に、本管１１の側面即ち図１では本管１１の上部側に穿たれた分岐流路としての通孔１２と被接続口２１とが一致するように、当該本管１１の一方の側面側に当接される本体２２と、前記通孔１２の反対側である当該本管１１の他方の側面側に当接される分体２３とで構成されている。
【００１４】
被接続口２１を有する本体２２と分体２３とは、本管１１の両側面側即ち図１において、本管１１の上下方向から当該本管１１の外周面に当てがわれ、複数の締結ボルト２４、２４、２４・・・にて、本管１１を中央にして挟み込むような状態にて締結される。
本管１１の側面に当てがわれる前記本体２２と分体２３との各々の当接面２６、２７も又、従来と同様に、本管１１の外周側面と合致するように相補形状をなす半筒面形状となっている。
【００１５】
図１において、本管１１の通孔１２と支管接続具２０の本体２２の被接続口２１との連通部に施される環状シール１は、従来と同様に、本体２２の当接面２６側に着脱自在に嵌合するように装着されているが、この実施の形態１に示す鞍形環状の環状シール１は、当該環状シール１の外周側縁２が、本管１１の側面に支管接続具２０が当てがわれる方向、即ち被接続口２１の軸線（図１に示す矢印Ａ方向）と平行する面となるように形成されている。
【００１６】
図１、図３乃至図８において、環状シール１は、その断面形状において、略Ｕ字状（図１や図８では上下を逆にした逆Ｕ字状）に形成された溝嵌合部３を有しており、この溝嵌合部３が支管接続具２０の本体２２の半筒面形状の当接面２６に形成された断面が略Ｕ字状（図１では逆Ｕ字状）の環状溝２５に、環状シール１の溝嵌合部３の略全身が収まるように嵌合されている。
このように、環状溝２５に溝嵌合部３を蜜に嵌合させるには、当該環状溝２５の断面形状を溝嵌合部３の外形と相補形状に、図示の例では略Ｕ字型に形成しておくのが好適である。
【００１７】
上記のように、環状シール１の外周側縁２の面（外周面）を被接続口２１の接続方向の軸線を中心として帯状に巡る周面（２）とすることによって、支持接続具２０の本体２２を本管１１に当てて管軸方向や管の胴回り方向に摺動させても、従来のように環状シール１が脱落したり、一部が外れたりすることを防ぐことができる。
【００１８】
更に、この環状シール１には、その断面において、本管１１に当てられる面即ちＵ字の開放側に、環状溝２５から半円弧状に若干突出する突出部４が形成されている。図示の突出部４は、弧の両端の裏面側が環状溝２５の両縁側、即ち半筒形面２６に密着する面５、６（密着面）を有している。
【００１９】
このように、嵌合溝２５の開口部を半円弧状の曲面で覆うように突出部４を形成することにより、環状シール１の突出部４と本管１１の外周面との接触を円滑にさせると共に、環状シール１の突出部４の「めくれ」を防止させることができる。環状シール１の脱落や一部の外れは、この「めくれ」から始まるから、これにより、環状シール１の脱落や一部の外れを更に効果的に阻止することができる。
【００２０】
尚、この実施の形態１では、環状シール１の溝嵌合部４の外周側縁２のみを本管１１の側面に支管接続具２０が当てがわれる方向と平行する面（２）とすることを説明したが、これに限らず、溝嵌合部４の内周側縁７をも外周側縁２と同様に、本管１１の側面に支管接続具２０が当てがわれる方向と平行する面（内周面）に形成すると更に効果がある。
【００２１】
又、当該環状シール１の溝嵌合部３と相補形状の環状溝２５が形成された支持接続具２０に、上記のように形成された支管接続具２０用の環状シール１を装着（嵌合）して用いると、当該支管接続具２０を本管１１に取り付ける作業を円滑且つ効率よく行うことができる。
【００２２】
【発明の効果】
請求項１乃至請求項３の各発明によれば、何れも、脱落や外れが生じ難い環状シールを提供することができる。
【００２３】
請求項４又は請求項５の各発明によれば、何れも、脱落や外れが生じ難い環状シールを備えた支管接続具を提供することができる。
【図面の簡単な説明】
【図１】使用状態を示す断面図である。
【図２】支管接続具の分解斜視図である。
【図３】環状シールの斜視図である。
【図４】環状シールを水平に置いた状態の正面図である。
【図５】図４の右側面図である。
【図６】図４の平面図である。
【図７】図６のＡ−Ａ線断面図である。
【図８】図６のＢ−Ｂ線断面図である。
【符号の説明】
１  環状シール、２  外周側縁（外周面）、３  溝嵌合部（環状シール）、４  突出部（環状シール）、  ５  密着面、６  密着面、７  内周側縁（内周面）、１１  本管、１２  通孔（本管）、２０  支管接続具、２１  被接続口（支管接続具）、２２  本体（支管接続具）、２３  分体（支管接続具）、２５  嵌合溝。
【図１】
2004251432.tif 000003
【図２】
2004251432.tif 000004
【図３】
2004251432.tif 000005
【図４】
2004251432.tif 000006
【図５】
2004251432.tif 000007
【図６】
2004251432.tif 000008
【図７】
2004251432.tif 000009
【図８】
2004251432.tif 000010